(57)【要約】【課題】写真プリント受注用の見本プリントの作成に際し、撮影者にとって受注の見込めるインデックスプリント及びこれを用いた見本プリント作成システムを提供すること。【解決手段】撮影者１からのフィルム又は画像データに基づき作成するインデックスプリント５であり、該インデックスプリント５には、前記撮影者１が撮影した写真５５０を表示する領域と、前記撮影者１が指示する見本プリント６作成のための情報を記録する領域を有することを特徴とするインデックスプリント。【選択図】          図１
2005010531.tif 000002
【特許請求の範囲】
【請求項１】
撮影者からのフィルム又は画像データに基づき作成するインデックスプリントであり、
該インデックスプリントには、前記撮影者が撮影した写真を表示する領域と、前記撮影者が指示する見本プリント作成のための情報を記録する領域を有することを特徴とするインデックスプリント。
【請求項２】
前記撮影者が指示する見本プリント作成のための情報には、画像を見本プリントにしない情報、プリントサイズの情報、トリミング指示情報の少なくとも１種の情報が記録されていることを特徴とする請求項１記載のインデックスプリント。
【請求項３】
前記インデックスプリントには、撮影業者名、団体名、行事名、受付番号、画像番号の少なくとも１種の情報が記録されていることを特徴とする請求項１又は２記載のインデックスプリント。
【請求項４】
撮影者からのフィルム又は画像データに基づき、撮影者に受け渡すインデックスプリントを作成するインクデックスプリント作成手段と、
前記撮影者からの前記フィルム又は画像データに基づき、前記撮影者がプリント注文者に提示するためのプリント受注用の見本プリントを作成する見本プリント作成手段とを有し、
前記見本プリント作成手段は、前記インデックスプリントを受け取った前記撮影者からの見本プリント作成のための情報を利用して、前記見本プリントを作成することを特徴とする見本プリント作成システム。
【請求項５】
前記インデックスプリントは、前記撮影者からの見本プリント作成のための情報を記録する記録領域を有することを特徴とする請求項４記載の見本プリント作成システム。
【請求項６】
前記インデックスプリントには、撮影業者名、団体名、行事名、受付番号、画像番号の少なくとも１種の情報が記録されていることを特徴とする請求項４又は５記載の見本プリント作成システム。
【請求項７】
前記撮影者からの見本プリント作成のための情報には、画像を見本プリントにしない情報、プリントサイズの情報、トリミング指示情報の少なくとも１種の情報が記録されていることを特徴とする請求項４、５又は６記載の見本プリント作成システム。
【発明の詳細な説明】
【０００１】
【発明の属する技術分野】
本発明は、学校や会社等の団体の行事を撮影した写真プリントを受注するために、プリント注文者に対して撮影者が提示する見本プリントを作成するためのインデックスプリント及びこれを用いた見本プリント作成システムに関する。
【０００２】
【従来の技術】
幼稚園や各種学校、会社等の団体の行事においては、写真館等から派遣された撮影者によって行事の様子を撮影することが行われている。撮影者は、撮影したフィルムや画像データをプリント作成業者（以下、ラボという。）に送り、ラボにおいて作成された見本プリントを受け取った後、この見本プリントに基づいて、プリント注文者からのプリントの注文を受け付けるようにしている。
【０００３】
ここで、行事写真が学校行事の行事写真である場合の学校、撮影者及びラボの間での流れを簡単に説明すると、まず、学校は学校行事計画を撮影者に連絡し、この連絡を受けた撮影者は、行事当日に行事の様子及び学生たちの撮影を行う。
【０００４】
撮影後、撮影者は撮影したフィルムや画像データをラボに送り、ラボではこれを回収した後、プリント受注を行うための撮影内容を示す見本プリントを作成し、撮影者に納品する。撮影者は、この見本プリントを学校に貼り出し、学生からのプリントの注文を受け付ける。
【０００５】
撮影者が利益を得るためには、自己の商品である写真プリントを如何に多く受注するかが重要である。行事写真のような場合、プリントの受注を大きく左右するのは、購入者が購入したいと思う写真プリントが数多く存在することである。
【０００６】
しかし、従来の見本プリントは、撮影した画像データやフィルムに基づいて、ラボにおいて一方的に作成され、作成後の見本プリントが撮影者に対して納品されるだけである。
【０００７】
従って、撮影者にとって受注の見込める、すなわち、プリント注文者から受注され易くて自己の利益につながるような写真が表示されている見本プリントの作成システムが望まれる。
【０００８】
【発明が解決しようとする課題】
そこで、本発明の課題は、写真プリント受注用の見本プリントの作成に際し、撮影者にとって受注の見込めるインデックスプリント及びこれを用いた見本プリント作成システムを提供することにある。
【０００９】
本発明の他の課題は、以下の記載によって明らかとなる。
【００１０】
【課題を解決するための手段】
上記課題は、以下の各発明によって解決される。
【００１１】
（請求項１）撮影者からのフィルム又は画像データに基づき作成するインデックスプリントであり、
該インデックスプリントには、前記撮影者が撮影した写真を表示する領域と、前記撮影者が指示する見本プリント作成のための情報を記録する領域を有することを特徴とするインデックスプリント。
【００１２】
（請求項２）前記撮影者が指示する見本プリント作成のための情報には、画像を見本プリントにしない情報、プリントサイズの情報、トリミング指示情報の少なくとも１種の情報が記録されていることを特徴とする請求項１記載のインデックスプリント。
【００１３】
（請求項３）前記インデックスプリントには、撮影業者名、団体名、行事名、受付番号、画像番号の少なくとも１種の情報が記録されていることを特徴とする請求項１又は２記載のインデックスプリント。
【００１４】
（請求項４）撮影者からのフィルム又は画像データに基づき、撮影者に受け渡すインデックスプリントを作成するインクデックスプリント作成手段と、
前記撮影者からの前記フィルム又は画像データに基づき、前記撮影者がプリント注文者に提示するためのプリント受注用の見本プリントを作成する見本プリント作成手段とを有し、
前記見本プリント作成手段は、前記インデックスプリントを受け取った前記撮影者からの見本プリント作成のための情報を利用して、前記見本プリントを作成することを特徴とする見本プリント作成システム。
【００１５】
（請求項５）前記インデックスプリントは、前記撮影者からの見本プリント作成のための情報を記録する記録領域を有することを特徴とする請求項４記載の見本プリント作成システム。
【００１６】
（請求項６）前記インデックスプリントには、撮影業者名、団体名、行事名、受付番号、画像番号の少なくとも１種の情報が記録されていることを特徴とする請求項４又は５記載の見本プリント作成システム。
【００１７】
（請求項７）前記撮影者からの見本プリント作成のための情報には、画像を見本プリントにしない情報、プリントサイズの情報、トリミング指示情報の少なくとも１種の情報が記録されていることを特徴とする請求項４、５又は６記載の見本プリント作成システム。
【００１８】
【発明の実施の形態】
以下、本発明の実施の形態について図面に基づいて説明する。
【００１９】
図１は、見本プリント作成システムの一例を示す説明図であり、行事写真の撮影者とラボとの関係を示している。
【００２０】
撮影者１は、行事の様子を撮影したアナログフィルム３や、撮影内容が記録されたデジタル画像データ４をラボ２に送る。ここでは、デジタル画像データ４は、画像データを記録した例えばＣＤ−Ｒやメモリカード等の記録メディアの形態で、ラボ２側へ送られるものを示している（図１の▲１▼）。
【００２１】
撮影者１からアナログフィルム３やデジタル画像データ４をラボ２側へ送る際は、行事の団体名、行事名の情報も同時にラボ２側へ送る。アナログフィルム３やデジタル画像データ４を記録した記録メディアが複数ある場合は、その撮影順の情報も送る。
【００２２】
本発明に係る見本プリント作成システムは、ラボ２においてインクデックスプリント作成手段２１を備えている。
【００２３】
ここでラボ２は、撮影者１から送られたアナログフィルム３やデジタル画像データ４に基づいて、アナログフィルム３毎に、又はデジタル画像データ４の場合は記録メディア毎にインクデックスプリント作成手段２１を用いてインデックスプリント５を作成する。
【００２４】
インデックスプリント５は、撮影者が撮影した写真を表示する領域と、前記撮影者が指示する見本プリント作成のための情報を記録する領域を有しており、後者の見本プリント作成のための情報を如何に記載するかが見本プリントの良し悪しになり、受注の見込める写真プリントが得られるには、このインデックスプリント５の記載内容は極めて重要である。
【００２５】
例えば撮影者１が撮影内容に基づいて見本プリントの作成をする、しないの選択の情報があれば受注の見込めない写真プリントはプリントしなくて済むので無駄がはぶけ、低コストで受注の見込める写真プリントを作成できる。また各写真についてプリントサイズやトリミング処理の有無等を記載すれば、受注の見込み度合いも更に向上する。
【００２６】
本発明は、インデックスプリントの作成を従来のようにラボの判断に任せるのではなく、撮影者の意思が十分反映できるようにしたものである。
【００２７】
インクデックスプリント５の具体例を図２に示す。ここでは、行事の団体が幼稚園であり、行事名が「秋の遠足」である場合を示している。
【００２８】
インクデックスプリント５には、プリント上方に撮影業者名（店舗名）欄５１０、団体名欄５２０、行事名欄５３０及び受付番号欄５４０がそれぞれ設けられており、各欄に所要事項が記録されている。
【００２９】
これらは少なくともいずれか１種が記録されていればよい。また、受付番号欄５４０に記録される受付番号の情報は、数字として記録されていてもよいし、あるいはバーコード等のコード情報として記録されていてもよいし、あるいはこれらを組み合わせて記録されていてもよい。
【００３０】
このインデックスプリント５には、撮影者１が行事を撮影した写真５５０が複数同時に表示されている。ここでは１２枚の写真５５０が上下２段に分かれて表示されているが、表示枚数や表示形態は特に問わない。各写真５５０には、左上に写真番号５５１が付与されている。
【００３１】
各写真５５０の下段には、撮影者１からの見本プリント作成のための情報を記録する記録領域である指示部５６０がそれぞれ設けられている。
【００３２】
この指示部５６０は、各写真５５０に対応するようにその下段に設けられている。図示のように、インデックスプリント５中に各写真５５０に対応するように指示部５６０を設けるようにすれば、写真５５０の確認とそれに対する撮影者１による指示の記録及び後述するラボ２側での指示内容の確認が一目瞭然となるために好ましい。
【００３３】
なお、各写真５５０との対応関係が明確であれば、各写真５５０が表示されているインデックスプリント５と別体の記録媒体、例えば指示情報記録用紙等に指示部を設けるようにしてもよい。
【００３４】
本実施形態に示す指示部５６０には、当該写真を見本プリントとして作成しない（ＮＧとする）指示のためのＮＧ指示欄５６１、当該写真を集合写真としてプリントする指示のための集合用指示欄５６２、当該写真をアルバム写真としてプリントする指示のためのアルバム用指示欄５６３、当該写真のプリントサイズ（Ｌサイズ、ＫＧサイズ、２Ｌサイズ）の指示のためのサイズ指示欄５６４、写真の順番を入れ替える指示のための入れ替え指示欄５６５、当該写真に文字を知れる指示のための文字入れ指示欄５６６、当該写真にトリミング処理を行う指示のためのトリミング指示欄５６７がそれぞれ設けられている。
【００３５】
これは全て設けられる必要はなく、これらのうちの少なくとも１種設けられるだけでもよい。
【００３６】
各指示欄５６１〜５６７には、図示のように四角形状のチェック記入欄が設けられている。これらのチェック記入欄は撮影者１によって指示（チェックマーク）が記録される部分である。
【００３７】
ラボ２は、撮影者１から送られたアナログフィルム３やデジタル画像データ４に基づいて、かかるインデックスプリント５を作成した後、これを撮影者１側へ提示する（図１の▲２▼）。
【００３８】
ラボ２において作成されて撮影者１に提示されるこのインデックスプリント５は、前記インデックスプリント作成手段２１を用いて作成された後、プリント出力された出力物の形態であってもよいし、インデックスプリントデータの形態であってもよい。
【００３９】
インデックスプリントデータの場合、インデックスプリント作成手段２１はインデックスプリントデータ作成手段として機能する。このインデックスプリントデータは、インデックスプリント５表示用のアプリケーションソフトと図２に示すような画像情報（写真以外の各種情報を含む）が記録されたリムーバブルの記録メディアの形態で撮影者１に提示することができる。
【００４０】
次いで、ラボ２からインデックスプリント５を受け取った撮影者１は、このインデックスプリント５に表示された各写真５５０を参照しながら、対応する指示部５６０の所望のチェック記入欄に見本プリント作成のための情報となる指示（チェックマーク）を記録していく。
【００４１】
例えば、図２においては、撮影者１によって、写真Ｎｏ．６のトリミング指示欄５６７にチェックマークが記録されている。同時に、この写真Ｎｏ．６中には、撮影者自らによって具体的にトリミングしたい領域Ｔが書き込まれている。
【００４２】
また、写真Ｎｏ．７のＮＧ指示欄５６１にチェックマークが記録され、当該写真を見本プリントとして作成しないことが指示されている。
【００４３】
更に、写真Ｎｏ．８には、集合用指示欄５６２とトリミング指示欄５６７にチェックマークが記録され、写真Ｎｏ．８中には、撮影者自らによって具体的にトリミングしたい領域Ｔが書き込まれている。
【００４４】
これら撮影者１による指示（チェックマークやトリミング領域Ｔの記録）は、インデックスプリント５がプリント出力物である場合には、撮影者１が適宜の筆記具を用いて直接記録することにより行うことができる。
【００４５】
次いで、撮影者１は、このようにして見本プリント作成のための情報を記録したインデックスプリント５をラボ２へ返却する。インデックスプリント５の返却は、インデックスプリント５がプリント出力物である場合は、プリントそのものとして行われる（図１の▲３▼）。
【００４６】
また、本発明に係る見本プリント作成システムは、ラボ２において見本プリント作成手段２２を備えている。
【００４７】
ラボ２は、この見本プリント作成手段２２を用いて、アナログフィルム３や画像データ４に基づいて、撮影者１から受け取ったインデックスプリント５に記録されている撮影者１による見本プリント作成のための情報を利用して見本プリント６を作成する。
【００４８】
例えば、図２に示すように撮影者１からの見本プリント作成のための指示情報が記録されたインデックスプリント５の場合、ラボ２では、写真Ｎｏ．６についてはトリミング指示欄５６７がチェックされているため、撮影者１により指示されたトリミング領域Ｔの情報に基づいて、見本プリント作成時にトリミング処理を行う。また、写真Ｎｏ．７についてはＮＧ指示欄５６１がチェックされているため、当該写真は撮影者１が見本プリントとして作成したくない写真であることがわかり、ラボ２では、この情報に基づいて見本プリントの作成を行わないようにすることができる。更に、写真Ｎｏ．８については集合用指示欄５６２とトリミング指示欄５６７にチェックされているため、撮影者１により指示されたトリミング領域Ｔの情報に基づいて、見本プリント作成時にトリミング処理を行うと共に、集合用写真としてプリント作成を行う。
【００４９】
なお、撮影者１によりインデックスプリント５の指示部５６０に何らの指示も記録されていない場合には、予め定められた形式で見本プリントを作成すればよい。
【００５０】
ラボ１による撮影者１からの見本プリント作成のための情報を利用した見本プリントの作成作業に際しては、ラボ１の作業者が上記情報を参照しながら撮影者１の意図する見本プリントの作成を行ってもよいし、インデックスプリント５に直接記録された又は別体の指示媒体に記録された上記情報をフラットベットスキャナ等の読み取り手段によって読み取り、見本プリント作成手段２２がこの読み取り結果に基づいて、アナログフィルム３又は画像データ４から自動的に撮影者１の意図する見本プリントを作成するようにしてもよい。
【００５１】
このようにして、インデックスプリント５に基づいて作成された見本プリント６は、ラボ２から撮影者１に納品される（図１の▲４▼）。
【００５２】
この見本プリント６は、見本プリント作成のための撮影者１の意図が反映されたインデックスプリント５に基づいて作成されているため、撮影者１は十分に満足のいく見本プリントを手にすることができる。
【００５３】
【発明の効果】
本発明によれば、写真プリント受注用の見本プリントの作成に際し、撮影者にとって受注の見込めるインデックスプリント及びこれを用いた見本プリント作成システムを提供することができる。
【図面の簡単な説明】
【図１】見本プリント作成システムの一例を示す説明図
【図２】インデックスプリントの一例を示す図
【符号の説明】
１：撮影者
２：ラボ
２１：インクデックスプリント作成手段
２２：見本プリント作成手段
３：アナログフィルム
４：デジタル画像データ
５：インデックスプリント
５１０：撮影業者名（店舗名）欄
５２０：団体名欄
５３０：行事名欄
５４０：受付番号欄
５５０：写真
５５１：写真番号
５６０：指示部
５６１：ＮＧ指示欄
５６２：集合用指示欄
５６３：アルバム用指示欄
５６４：サイズ指示欄
５６５：入れ替え指示欄
５６６：文字入れ指示欄
５６７：トリミング指示欄
６：見本プリント
【図１】
2005010531.tif 000003
【図２】
2005010531.tif 000004